(57)【要約】【課題】  表示装置の輝度のリアルタイム調整を行なう方法及び装置の提供。【解決手段】  光検出器で輝度を検出して第１参考値と第２参考値を発生し、次に第１参考値と第２参考値を変換公式で変換して輝度レベル値を得て、得られた輝度レベル値と第１設定値と第２設定値を比較し、輝度レベル値が第１設定値より高いか、第２設定値より低いか、或いは第１設定値と第２設定値の間にあるかを、アラーム信号で使用者に告知し、並びにバックライト点灯器を輝度レベル値により制御して表示装置の輝度を調整し、これにより表示装置の輝度を周辺使用環境及び使用者の必要に符合するものとする。【選択図】        図３
2006106650.tif 000002
【特許請求の範囲】
【請求項１】
表示装置の輝度調整の方法において、
（Ａ）光検出器で環境輝度を検出して第１参考値を発生する。
（Ｂ）光検出器で環境輝度を検出して第２参考値を発生する。
（Ｃ）第１参考値と第２参考値より輝度レベル値を発生する。
（Ｄ）輝度レベル値が第１設定値より大きい時、輝度表示装置により第１アラームランプを起動し、並びに（Ｇ）のステップを実行する。
（Ｅ）輝度レベル値が第２設定値より小さい時、輝度表示装置により第２アラームランプを起動し、並びに（Ｇ）のステップを実行し、そのうち、第２設定値は第１設定値より小さいものとする。
（Ｆ）輝度レベル値が第１設定値と第２設定値の間にあるとき、輝度表示装置が第３アラームランプを起動し、並びに（Ｈ）のステップを実行する。
（Ｇ）バックライト点灯器で輝度レベル値の大きさにより表示装置の輝度を調整する。
（Ｈ）実行終了。
以上の（Ａ）から（Ｈ）のステップを具えたことを特徴とする、表示装置の輝度調整の方法。
【請求項２】
請求項１記載の表示装置の輝度調整の方法において、表示装置がタブレットＰＣ、液晶ディスプレイ、ノートブック型コンピュータのいずれかとされることを特徴とする、表示装置の輝度調整の方法。
【請求項３】
請求項１記載の表示装置の輝度調整の方法において、光検出器が表示装置の表面に置かれたことを特徴とする、表示装置の輝度調整の方法。
【請求項４】
請求項１記載の表示装置の輝度調整の方法において、第１参考値が赤外線光値より選択されることを特徴とする、表示装置の輝度調整の方法。
【請求項５】
請求項１記載の表示装置の輝度調整の方法において、第２参考値が可視光及び赤外線光値より選択されることを特徴とする、表示装置の輝度調整の方法。
【請求項６】
請求項１記載の表示装置の輝度調整の方法において、輝度レベル値が可視光のルクス値とされることを特徴とする、表示装置の輝度調整の方法。
【請求項７】
請求項１記載の表示装置の輝度調整の方法において、第１設定値が７５０ルクスとされることを特徴とする、表示装置の輝度調整の方法。
【請求項８】
請求項１記載の表示装置の輝度調整の方法において、第２設定値が３００ルクスとされることを特徴とする、表示装置の輝度調整の方法。
【請求項９】
請求項１記載の表示装置の輝度調整の方法において、（Ｇ）のステップは、更に以下のステップ、すなわち、
（Ｇ１）輝度レベル値と設定値の差異がスレショルド値より大きい時、輝度レベル値が対応する調整値により該設定値を調整し並びに調整後の設定値を保存する。
（Ｇ２）設定値の大きさにより該表示装置の輝度を調整する。
を具えたことを特徴とする、表示装置の輝度調整の方法。
【請求項１０】
請求項９記載の表示装置の輝度調整の方法において、輝度レベル値が設定値より大きく、且つその差異がスレショルド値より大きい時、設定値の調整が、該設定値に調整値を加えることを指すことを特徴とする、表示装置の輝度調整の方法。
【請求項１１】
請求項１０記載の表示装置の輝度調整の方法において、輝度レベル値の変動範囲が少なくとも一つのセクションに分けられ、各セクションが異なる調整値に対応することを特徴とする、表示装置の輝度調整の方法。
【請求項１２】
請求項１０記載の表示装置の輝度調整の方法において、輝度レベル値の変動範囲が０−２５５の間とされたことを特徴とする、表示装置の輝度調整の方法。
【請求項１３】
請求項１１記載の表示装置の輝度調整の方法において、輝度レベル値の変動範囲が四つのセクションに分けられ、各セクションに対応する調整値が、１、２、３、４とされることを特徴とする、表示装置の輝度調整の方法。
【請求項１４】
請求項９記載の表示装置の輝度調整の方法において、輝度レベル値が設定値より小さく、且つその差異がスレショルド値より大きい時、該設定値の調整は設定値より該調整値を減じることを指すことを特徴とする、表示装置の輝度調整の方法。
【請求項１５】
請求項１４記載の表示装置の輝度調整の方法において、輝度レベル値の変動範囲が少なくとも一つのセクションに分けられ、各セクションが異なる調整値に対応することを特徴とする、表示装置の輝度調整の方法。
【請求項１６】
請求項１５記載の表示装置の輝度調整の方法において、輝度レベル値の変動範囲が０−２５５の間とされたことを特徴とする、表示装置の輝度調整の方法。
【請求項１７】
請求項１５記載の表示装置の輝度調整の方法において、輝度レベル値の変動範囲が四つのセクションに分けられ、各セクションに対応する調整値が、１、２、３、４とされることを特徴とする、表示装置の輝度調整の方法。
【請求項１８】
バックライト点灯器、光検出器、嵌め込み式コントロールチップ、及び輝度表示装置を具え、該バックライト点灯器は表示装置のバックライト輝度を制御し、光検出器は現在の環境輝度参考値を検出し、嵌め込み式コントロールチップは光検出器の検出した環境輝度参考値を計算し、並びに制御信号を発生してバックライト点灯器の動作を制御し、輝度表示装置は少なくとも三つのアラームランプを具え、嵌め込み式コントロールチップの制御信号に基づきアラームランプを起動し、表示装置の現在の環境輝度を表示することを特徴とする、表示装置の輝度調整の装置。
【請求項１９】
請求項１８記載の表示装置の輝度調整の装置において、輝度表示装置は第１、第２、第３アラームランプを具え、輝度レベル値が第１設定値より大きい時、第１アラームランプが起動され、輝度レベル値が第２設定値より低い時、第２アラームランプが起動され、輝度レベル値が第１設定値と第２設定値の間にある時、第３アラームランプが起動されることを特徴とする、表示装置の輝度調整の装置。
【発明の詳細な説明】
【技術分野】
【０００１】
本発明は表示装置の輝度調整の方法及び装置に係り、特にタブレットＰＣ或いはノートブック型コンピュータに適用されてアラーム信号で使用者に周辺環境の輝度を告知し、並びに表示装置の輝度を自動調整する方法と装置に関する。
【背景技術】
【０００２】
一般に周知の表示装置の輝度の方法のほとんどは、手動の方式でパネル上の輝度を調整し、図１に示されるように、表示装置５（例えばタブレットＰＣ或いはノートブック型コンピュータ）の表面に調整ボタン６が組付けられて表示パラメータを調整して間接的に表示画面の輝度を調整する。
【０００３】
使用者がタブレットＰＣを使用する時、周辺環境は常時改変しうる。例えば輝度が高いリビングから輝度が低い寝室に移動する時、或いは輝度が低い寝室から輝度が高いリビングに移動する時、タブレットＰＣの表示輝度が高過ぎたり低過ぎたりする問題が発生し、使用者は常時表示輝度を調整しなければならず、或いは環境光源の輝度を調整しなければならず、使用上の不便が形成された。
【発明の開示】
【発明が解決しようとする課題】
【０００４】
本発明の主要な目的は、一種の表示装置の輝度調整の方法及び装置を提供することにあり、それは表示装置周辺の使用環境の輝度を自動検出し、アラーム信号で使用者に告知し、並びに表示装置の輝度を自動調整して使用者が観るのに適合するものとなす方法及び装置であるものとする。
【０００５】
上述の目的を達成するため、本発明の提供する表示装置の輝度調整の方法は、
（Ａ）光検出器で輝度を検出して第１参考値を発生する。
（Ｂ）光検出器で輝度を検出して第２参考値を発生する。
（Ｃ）第１参考値と第２参考値より輝度レベル値を発生する。
（Ｄ）輝度レベル値が第１設定値より大きい時、輝度表示装置により第１アラームランプを起動し、並びに（Ｇ）のステップを実行する。
（Ｅ）輝度レベル値が第２設定値より小さい時、輝度表示装置により第２アラームランプを起動し、並びに（Ｇ）のステップを実行する。そのうち、第２設定値は第１設定値より小さい。
（Ｆ）輝度レベル値が第１設定値と第２設定値の間にあるとき、輝度表示装置が第３アラームランプを起動し、並びに（Ｈ）のステップを実行する。
（Ｇ）バックライト点灯器で輝度レベル値の大きさにより表示装置の輝度を調整する。
（Ｈ）実行終了。
以上の（Ａ）から（Ｈ）のステップを具えている。
【０００６】
本発明はまた表示装置の輝度調整の装置を提供し、それは、バックライト点灯器、光検出器、嵌め込み式コントロールチップ、及び輝度表示装置を具え、該バックライト点灯器は表示装置のバックライト輝度を制御し、光検出器は現在の環境輝度参考値を検出し、嵌め込み式コントロールチップは光検出器の検出した環境輝度参考値を計算し、並びに制御信号を発生してバックライト点灯器の動作を制御し、輝度表示装置は少なくとも三つのアラームランプを具え、嵌め込み式コントロールチップの制御信号に基づきアラームランプを起動し、表示装置の現在の環境輝度を表示する。
【課題を解決するための手段】
【０００７】
請求項１の発明は、表示装置の輝度調整の方法において、
（Ａ）光検出器で環境輝度を検出して第１参考値を発生する。
（Ｂ）光検出器で環境輝度を検出して第２参考値を発生する。
（Ｃ）第１参考値と第２参考値より輝度レベル値を発生する。
（Ｄ）輝度レベル値が第１設定値より大きい時、輝度表示装置により第１アラームランプを起動し、並びに（Ｇ）のステップを実行する。
（Ｅ）輝度レベル値が第２設定値より小さい時、輝度表示装置により第２アラームランプを起動し、並びに（Ｇ）のステップを実行し、そのうち、第２設定値は第１設定値より小さいものとする。
（Ｆ）輝度レベル値が第１設定値と第２設定値の間にあるとき、輝度表示装置が第３アラームランプを起動し、並びに（Ｈ）のステップを実行する。
（Ｇ）バックライト点灯器で輝度レベル値の大きさにより表示装置の輝度を調整する。
（Ｈ）実行終了。
以上の（Ａ）から（Ｈ）のステップを具えたことを特徴とする、表示装置の輝度調整の方法としている。
請求項２の発明は、請求項１記載の表示装置の輝度調整の方法において、表示装置がタブレットＰＣ、液晶ディスプレイ、ノートブック型コンピュータのいずれかとされることを特徴とする、表示装置の輝度調整の方法としている。
請求項３の発明は、請求項１記載の表示装置の輝度調整の方法において、光検出器が表示装置の表面に置かれたことを特徴とする、表示装置の輝度調整の方法としている。
請求項４の発明は、請求項１記載の表示装置の輝度調整の方法において、第１参考値が赤外線光値より選択されることを特徴とする、表示装置の輝度調整の方法としている。
請求項５の発明は、請求項１記載の表示装置の輝度調整の方法において、第２参考値が可視光及び赤外線光値より選択されることを特徴とする、表示装置の輝度調整の方法としている。
請求項６の発明は、請求項１記載の表示装置の輝度調整の方法において、輝度レベル値が可視光のルクス値とされることを特徴とする、表示装置の輝度調整の方法としている。
請求項７の発明は、請求項１記載の表示装置の輝度調整の方法において、第１設定値が７５０ルクスとされることを特徴とする、表示装置の輝度調整の方法としている。
請求項８の発明は、請求項１記載の表示装置の輝度調整の方法において、第２設定値が３００ルクスとされることを特徴とする、表示装置の輝度調整の方法としている。
請求項９の発明は、請求項１記載の表示装置の輝度調整の方法において、（Ｇ）のステップは、更に以下のステップ、すなわち、
（Ｇ１）輝度レベル値と設定値の差異がスレショルド値より大きい時、輝度レベル値が対応する調整値により該設定値を調整し並びに調整後の設定値を保存する。
（Ｇ２）設定値の大きさにより該表示装置の輝度を調整する。
を具えたことを特徴とする、表示装置の輝度調整の方法としている。
請求項１０の発明は、請求項９記載の表示装置の輝度調整の方法において、輝度レベル値が設定値より大きく、且つその差異がスレショルド値より大きい時、設定値の調整が、該設定値に調整値を加えることを指すことを特徴とする、表示装置の輝度調整の方法としている。
請求項１１の発明は、請求項１０記載の表示装置の輝度調整の方法において、輝度レベル値の変動範囲が少なくとも一つのセクションに分けられ、各セクションが異なる調整値に対応することを特徴とする、表示装置の輝度調整の方法としている。
請求項１２の発明は、請求項１０記載の表示装置の輝度調整の方法において、輝度レベル値の変動範囲が０−２５５の間とされたことを特徴とする、表示装置の輝度調整の方法としている。
請求項１３の発明は、請求項１１記載の表示装置の輝度調整の方法において、輝度レベル値の変動範囲が四つのセクションに分けられ、各セクションに対応する調整値が、１、２、３、４とされることを特徴とする、表示装置の輝度調整の方法としている。
請求項１４の発明は、請求項９記載の表示装置の輝度調整の方法において、輝度レベル値が設定値より小さく、且つその差異がスレショルド値より大きい時、該設定値の調整は設定値より該調整値を減じることを指すことを特徴とする、表示装置の輝度調整の方法としている。
請求項１５の発明は、請求項１４記載の表示装置の輝度調整の方法において、輝度レベル値の変動範囲が少なくとも一つのセクションに分けられ、各セクションが異なる調整値に対応することを特徴とする、表示装置の輝度調整の方法としている。
請求項１６の発明は、請求項１５記載の表示装置の輝度調整の方法において、輝度レベル値の変動範囲が０−２５５の間とされたことを特徴とする、表示装置の輝度調整の方法としている。
請求項１７の発明は、請求項１５記載の表示装置の輝度調整の方法において、輝度レベル値の変動範囲が四つのセクションに分けられ、各セクションに対応する調整値が、１、２、３、４とされることを特徴とする、表示装置の輝度調整の方法としている。
請求項１８の発明は、バックライト点灯器、光検出器、嵌め込み式コントロールチップ、及び輝度表示装置を具え、該バックライト点灯器は表示装置のバックライト輝度を制御し、光検出器は現在の環境輝度参考値を検出し、嵌め込み式コントロールチップは光検出器の検出した環境輝度参考値を計算し、並びに制御信号を発生してバックライト点灯器の動作を制御し、輝度表示装置は少なくとも三つのアラームランプを具え、嵌め込み式コントロールチップの制御信号に基づきアラームランプを起動し、表示装置の現在の環境輝度を表示することを特徴とする、表示装置の輝度調整の装置としている。
請求項１９の発明は、請求項１８記載の表示装置の輝度調整の装置において、輝度表示装置は第１、第２、第３アラームランプを具え、輝度レベル値が第１設定値より大きい時、第１アラームランプが起動され、輝度レベル値が第２設定値より低い時、第２アラームランプが起動され、輝度レベル値が第１設定値と第２設定値の間にある時、第３アラームランプが起動されることを特徴とする、表示装置の輝度調整の装置としている。
【発明の効果】
【０００８】
本発明は、一種の表示装置の輝度調整の方法及び装置を提供することにあり、それは表示装置周辺の使用環境の輝度を自動検出し、アラーム信号で使用者に告知し、並びに表示装置の輝度を自動調整して使用者が観るのに適合するものとなす方法及び装置である。
【発明を実施するための最良の形態】
【０００９】
図２は本発明の表示装置の輝度調整の方法及び装置を使用したタブレットＰＣの外観図である。図５のタブレットＰＣの輝度装置構造図も併せて参照されたい。そのうち、表示装置１０内部には嵌め込み式コントロールチップ１４及び光検出器１３が組付けられ、光検出器１３により表示装置１０の現在の環境輝度が検出され、並びに嵌め込み式コントロールチップ１４の運転が組み合わされて表示装置１０の表示画面の輝度が計算され、輝度表示装置１５のアラームランプ１５１、１５２、１５３により、現在の表示装置１０の環境輝度が表示され、本発明では、輝度表示装置１５は三種類のアラームランプを具え、赤ランプ（アラームランプ１５１）は表示装置１０が現在明る過ぎる輝度環境下にあることを表示し、オレンジランプ（アラームランプ１５２）は表示装置１０が適切な輝度環境下にあることを表示し、緑ランプ（アラームランプ１５３）は表示装置１０が現在暗過ぎる環境下にあることを表示し、ランプ表示の方式で使用者に告知し、また嵌め込み式コントロールチップ１４によりバックライト点灯器１６の輝度を制御し、こうして、使用者に現在の環境光源の状況を知らしめ、且つ表示装置の画面の輝度が明る過ぎたり暗過ぎたりすることにより発生する不適な状況を発生させない。
【００１０】
本発明の表示装置の輝度調整の方法は図３のフローチャートに示されるように、実行開始後に、まずパネルが起動状態であるかを検出する（ステップＳ３１）。
【００１１】
起動状態であれば、光検出器１３が第１参考値を発生し（ステップＳ３２）及び第２参考値を発生する（ステップＳ３３）。
【００１２】
第１参考値は光検出器１３が検出する表示装置１０所在環境の赤外線光値であり、第２参考値は表示装置１０が検出する表示装置１０所在環境の可視光値又は赤外線光値である。
【００１３】
二つの参考値を変換公式で計算して輝度レベル値を得る（ステップＳ３４）。そのうち変換公式は以下のとおりである。
Ｒ＝第１参考値／第２参考値                            （１）
輝度値＝第２参考値×０．４６×ｅ-3.13R                （２）
但し上述のものに限定されるわけではない。
【００１４】
その後、更に輝度値に対してアナログ／デジタル変換して輝度レベル値を得る。輝度レベル値の良好な範囲は０〜２５５であり、０はこのパネル輝度が最も暗いことを表示する輝度レベル値であり、２５５はパネル輝度が最も明るいことを代表する輝度レベル値である。これから想到しうるように、輝度レベル値の範囲は使用者の実際の要求により定められ、また上述のものに限定されるわけではない。
【００１５】
輝度レベル値を獲得した後、嵌め込み式コントロールチップ１４がそれを第１設定値及び第２設定値と比較し、現在の環境輝度が適合するものであるか否かを判定し、輝度表示装置１５及びバックライト点灯器１６の制御の根拠となし、本発明では、第１設定値は７００ルクスに、第２設定値は３００ルクスに設定される。
【００１６】
輝度レベル値が第１設定値の７００ルクスより大きい時（ステップＳ３５）、環境輝度が明る過ぎることを示し、嵌め込み式コントロールチップ１４が輝度表示装置１５の赤ランプ（アラームランプ１５１）を起動して使用者に告知し（ステップＳ３５１）、並びにバックライト点灯器１６で表示装置１０の輝度を調整する（ステップＳ３８）。
【００１７】
輝度レベル値が第１設定値（７００ルクス）より低く、第２設定値（３００ルクス）より高い（ステップＳ３６）時は、環境輝度が３００〜７００ルクスの間にあることを示し、適切な輝度範囲に属するため、嵌め込み式コントロールチップ１４は輝度表示装置１５の緑ランプ（アラームランプ１５２）を起動して使用者に告知する（ステップＳ３６１）。
【００１８】
輝度レベル値が第２設定値の３００ルクスより低い時、環境輝度が暗過ぎることを示し、嵌め込み式コントロールチップ１４が輝度表示装置１５のオレンジランプ（アラームランプ１５３）を起動して使用者に告知し（ステップＳ３７）、並びにバックライト点灯器１６で表示装置１０の輝度を調整する（ステップＳ３８）。
【００１９】
図４は前述のステップＳ３８の輝度調整の細部フローチャートである。まず、ステップＳ３４中で発生した輝度レベル値と設定値を比較して両数値間の差異を求め、設定値は表示装置１０の現在の輝度値とされ、並びにこの差異数値とスレショルド値を比較し（ステップＳ３８１）、もし二つの数値間の差異がスレショルド値より大きくなければ、表示装置１０の所在環境の輝度変化が大きくなく、使用者の視覚上許容できる変化範囲であることを示し、すなわち、表示画面の輝度を保持して表示装置１０の輝度値を改変しない。もし二つの数値間の差異がスレショルド値より大きい時は、表示装置１０の所在環境の輝度変化が輝度許容変化の範囲を超過していることを示し、このときは、輝度レベル値に対応する調整値に基づき設定値を調整し、並びにこれを保存し（ステップＳ３８２）、それを保存して更新後の設定値となす。最後に設定値の大きさによりバックライト点灯器１６の輝度を調整する（ステップＳ３８３）。
【００２０】
以上に述べた調整値と輝度レベル値の数値は関係があり、ここでは、輝度レベル値の範囲を四つのセクションに区分するが、これに限定されるわけではない。四つのセクションは、０〜６０が第１セクションとされ、それに対応する調整値は１とされ、６１〜１２５が第２セクションとされ、それに対応する調整値は２とされ、１２６〜２１６が第３セクションとされ、それに対応する調整値は３とされ、２１７〜２５５が第４セクションとされ、それに対応する調整値は４とされる。輝度レベル値が１００（第２セクションに属する）である時、すなわちこの輝度レベル値は調整時に２を増加或いは２を減らすのを一つの調整単位とし、この方法により表示装置１０の輝度を最も使用者の使用に適合する輝度値にスムーズに調整できる。もし輝度レベル値が設定値より大きい時は、調整値を増加する。もし輝度レベル値が設定値より小さい時は、調整値を減らす。スレショルド値はバックライト点灯器１６の調整を行うか否かを決定する根拠として用いられ、その値は５、１０、１５とされ得て、この実施例では５が良好な選択とされる。輝度レベル値が１００で、設定値が１０４の時、これらの値の差異は５より小さく、ゆえにバックライト点灯器１６による輝度調整は行わない。輝度レベル値が９５で設定値が１０４である時、これらの値の差異は５より大きく、これによりバックライト点灯器１６の輝度調整を実行し、設定値より２を減じ、並びに新たな設定値（値は１０２）として保存する。輝度レベル値が１１０で設定値が１０４の時、二つの値の差異は５より大きく、これによりバックライト点灯器１６による輝度調整を行い、設定値に２を増加し、並びに新たな設定値（値は１０６）として保存する。
【００２１】
以上の説明から分かるように、本発明は光検出器１３を利用して使用者の所在環境の輝度変化を検出し、これによりパネル輝度を制御するとともにアラームランプで使用者に告知し、使用者に現在の環境と表示装置の輝度状態を了解させ、並びに表示装置の輝度を自動調整し、全体輝度変調表現をスムースとし、使用者の視覚に快適に受け入れられるようにする。
【００２２】
以上の実施例は本発明の範囲を限定するものではなく、本発明の主張する権利範囲は特許請求の範囲の記載に準じ、上述の実施例に限定されるものではない。
【図面の簡単な説明】
【００２３】
【図１】周知の表示装置の輝度制御装置表示図である。
【図２】本発明の表示装置の輝度調整の方法及び装置を使用したタブレットＰＣの外観図である。
【図３】本発明の表示装置の輝度調整の方法のフローチャートである。
【図４】本発明のバックライト点灯器の輝度調整細部フローチャートである。
【図５】本発明の表示装置の輝度調整の装置の構造図である。
【符号の説明】
【００２４】
５  表示装置            ６  調整ボタン            １０  表示装置
１１  調整ボタン        １３  光検出器
１４  嵌め込み式コントロールチップ
１５  輝度表示装置
１６  バックライト点灯器
１５１、１５２、１５３  アラームランプ
【図１】
2006106650.tif 000003
【図２】
2006106650.tif 000004
【図３】
2006106650.tif 000005
【図４】
2006106650.tif 000006
【図５】
2006106650.tif 000007